【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
ネットワーク・ノードであって、
アドレス可能なネットワーク（１３０）に対する第１のネットワーク・インタフェース（１１１）と、少なくとも１つの仮想ＩＰアドレスと、
を備え、
前記ネットワーク・ノードが、前記少なくとも１つの仮想ＩＰアドレスを宛先とするパケットを、前記第１のネットワーク・インタフェースにルーティングするために、前記少なくとも１つの仮想ＩＰアドレスを前記第１のネットワーク・インタフェースから前記アドレス可能なネットワークに公表するように動作可能であり、
前記第１のネットワーク・インタフェースが、前記第１ネットワーク・インタフェースに接続した第１のサブネット（ＳＵＢ１）に対して、第１の連続するＩＰアドレス範囲内で第１のネットワーク・インタフェースＩＰアドレスに割り当てられ、
前記少なくとも１つの仮想ＩＰアドレスを前記第１ＩＰアドレス範囲外であるＩＰアドレス範囲により定める、
ネットワーク・ノード。
【請求項２】
請求項１に記載のネットワーク・ノードであって、前記第１のネットワーク・インタフェースは、ネットワーク・インタフェース・カード（１１１）を含む、ネットワーク・ノード。
【請求項３】
請求項１又は請求項２に記載のネットワーク・ノードであって、前記第１のネットワーク・インタフェースは、前記アドレス可能なネットワーク上で構成された複数のサブネット（ＳＵＢ１−ＳＵＢ４）に接続される、ネットワーク・ノード。
【請求項４】
請求項１から請求項３までのいずれか一項に記載のネットワーク・ノードであって、前記アドレス可能なネットワークは、ローカル・エリア・ネットワークを含む、ネットワーク・ノード。
【請求項５】
請求項１から請求項４までのいずれか一項に記載のネットワーク・ノードであって、少なくとも１つの仮想ＩＰアドレスは、ループ・バック・インタフェースに割り当てられる、ネットワーク・ノード。
【請求項６】
請求項１から請求項５までのいずれか一項に記載のネットワーク・ノードであって、少なくとも１つの仮想アドレスは、サブネット・マスクにより定められる、ネットワーク・ノード。
【請求項７】
請求項６に記載のネットワーク・ノードであって、少なくとも１つの仮想ＩＰアドレスと３２ビット・サブネット・マスクは、前記アドレス可能なネットワークに公表される、ネットワーク・ノード。
【請求項８】
請求項１から請求項７までのいずれか一項に記載のネットワーク・ノードであって、
前記アドレス可能なネットワークに対する第２のネットワーク・インタフェース（１１２）さらに備え、前記第２ネットワーク・インタフェースは、該第２ネットワーク・インタフェースに接続される第２のサブネット（ＳＵＢ２）に対する第２の連続するＩＰアドレス範囲内で第２のネットワーク・インタフェースＩＰアドレスが割り当てられ、  
前記仮想ＩＰアドレスの前記ＩＰアドレス範囲は、前記第２の連続するＩＰアドレス範囲外である、ネットワーク・ノード。
【請求項９】
請求項８に記載のネットワーク・ノードにおいて、前記ノードが、前記第２のネットワーク・インタフェースへの前記少なくとも１つの仮想ＩＰアドレスを宛先とするパケットをルーティングするために、前記少なくとも１つの仮想ＩＰアドレスを、前記第２インタフェースから前記アドレス可能なネットワークに公表するように動作可能である、ネットワーク・ノード。
【請求項１０】
請求項８又は請求項９に記載のネットワーク・ノードであって、前記第２のネットワーク・インタフェースは、ネットワーク・インタフェース・カード（１１２）を含む、ネットワーク・ノード。
【請求項１１】
請求項８から請求項１０までのいずれか一項に記載のネットワーク・ノードであって、前記第２のネットワーク・インタフェースは、前記アドレス可能なネットワーク上で構成された複数のサブネット（ＳＵＢ１−ＳＵＢ４）に接続される、ネットワーク・ノード。
【請求項１２】
請求項１から請求項１１までのいずれか一項に記載のネットワーク・ノードであって、
前記少なくとも１つの仮想ＩＰアドレスを公表するためのルーティング・プロトコルを実装するルーティング・プログラムを、
さらに備えるネットワーク・ノード。
【請求項１３】
請求項１から１２のいずれか一項に記載のネットワーク・ノードであって、
複数のデフォルト・ルータ（ＲＤ１およびＲＤ２）を、
さらに備えるネットワーク・ノード。
【請求項１４】
請求項１３に記載のネットワーク・ノードにおいて、
前記複数のデフォルト・ルータを監視するためのルータ・ウォッチャ・プログラムを、
さらに備えるネットワーク・ノード。
【請求項１５】
請求項１４に記載のネットワーク・ノードであって、前記ルータ・ウォッチャ・プログラムは、動作可能でないデフォルト・ルータを除去するように構成される、ネットワーク・ノード。
【請求項１６】
請求項１から請求項１５のいずれか一項に記載のネットワーク・ノードであって、
前記少なくとも１つの仮想ＩＰアドレスを第２のネットワーク・ノード（１２０）にフローティングするためのハイ・アベイラビリティ・プログラムを、
さらに備えるネットワーク・ノード。
【請求項１７】
ネットワーク方法であって、
１つ又は複数の仮想ＩＰアドレスと１つ又は複数のデフォルト・ルータ（ＲＤ１およびＲＤ２）と共に第１のノード（１１０）を構成する工程と、
前記１つ又は複数の仮想ＩＰアドレスを、アドレス可能なネットワーク（１３０）のネットワーク・デバイスに公表する工程と、
前記１つ又は複数のデフォルト・ルータを監視する工程と、
前記１つ又は複数の仮想ＩＰアドレスを、前記第１ノードと第２のノード（１２０）と間でフローティングする工程であって、前記第１ノードおよび前記第２ノードが異なったサブネットにある工程と、
を含む方法。
【請求項１８】
コンピュータ読み取り可能媒体に記憶されるコンピュータ・プログラムにおいて、該プログラムが、
１つ又は複数の仮想ＩＰアドレスと１つ又は複数のデフォルト・ルータ（ＲＤ１およびＲＤ２）と共に第１のノード（１１０）を構成するための命令と、
前記１つ又は複数の仮想ＩＰアドレスを、アドレス可能なネットワーク（１３０）のネットワーク・デバイスに公表するための命令と、
前記１つ又は複数のデフォルト・ルータを監視するための命令と、
前記１つ又は複数の仮想ＩＰアドレスを、前記第１ノードと第２のノード（１２０）との間でフローティングするための命令であって、前記第１ノードおよび前記第２ノードが異なったサブネットにある命令と、
を含むコンピュータ・プログラム。
【請求項１９】
請求項１８に記載のプログラムであって、前記コンピュータ読み取り可能媒体は、ディスク、デバイス及び伝播信号のうち少なくとも１つを含む、プログラム。
【請求項２０】
ネットワークであって、
１つ又は複数の仮想ＩＰアドレスと１つ又は複数のデフォルト・ルータ（ＲＤ１およびＲＤ２）と共に第１のノード（１１０）を構成するための手段と、
前記１つ又は複数の仮想ＩＰアドレスを、アドレス可能なネットワーク（１３０）のネットワーク・デバイスに公表するための手段と、
前記１つ又は複数のデフォルト・ルータを監視するための手段と、
前記１つ又は複数の仮想ＩＰアドレスを、前記第１ノードと第２のノード（１２０）間でフローティングするための手段であって、前記第１ノードおよび前記第２ノードが異なったサブネットにある手段と、
を備えるネットワーク。